(57)【要約】【課題】正面パネルおよび吹出部と、底面パネルおよび吸込部とを平面的に、または直角的に設置して天井面に吊下げ、天井裏に底面吹出しまたは正面吹出しで据え付け、且つ床面上にも据付できるようにし、吹出口からの吹出空気を効果的に偏向できるようにしたダクトタイプの空気調和機を提供する。【解決手段】本体を天井面、天井裏もしくは床面上に据え付ける際、その据付形態に応じて構成部材の全部もしくは一部を適宜組み合わせ、正面パネル９および吹出部８と、底面パネル７および吸込部６とを平面的に、または直角的に設置してなるものであって、前記正面パネル９は、前記底面パネル７と平面的に設置するとき先端に行くにしたがって低く傾斜し、直角的に設置するとき反転させ先端に行くにしたがって高く傾斜する傾斜面を表面に備え、内側に吹出口２に連なる導風路ｃを備え、同導風路ｃに風向を偏向する風向偏向板ｂを備えてなる構成とした。【選択図】  図１
2004340496.tif 000002
【特許請求の範囲】
【請求項１】
底面に吸込口を備え、正面に吹出口を備え、これら吸込口と吹出口とを結ぶ空気通路に熱交換器と送風機とを配設してなる本体と、前記吸込口に対応する吸込部と、本体の底面に装着される底面パネルと、前記吹出口に対応する吹出部と、本体の正面に装着される正面パネルと、本体の両側面に装着される側面パネルと、前記吹出口に連通して風向を偏向するチャンバーとからなり、
本体を天井面、天井裏もしくは床面上に据え付ける際、その据付形態に応じて上記構成でなる部材の全部もしくは一部を適宜組み合わせ、前記正面パネルと前記底面パネルとを平面的に、または直角的に設置できるようにしてなるものであって、
前記正面パネルは、前記底面パネルと平面的に設置するとき先端に行くにしたがって低く傾斜し、直角的に設置するとき反転させることにより先端に行くにしたがって高く傾斜する傾斜面を表面に備え、内側に前記吹出口に連なる導風路を備えると共に、同導風路に風向を偏向する風向偏向板を備えてなることを特徴とする空気調和機。
【請求項２】
前記吹出部は、運転時に前記風向偏向板によって開放され、停止時に閉塞されるようにしてなることを特徴とする請求項１に記載の空気調和機。
【請求項３】
吊下設置型として天井面から吊下げる場合、前記正面パネル、前記吹出部、前記底面パネル、前記吸込部および前記側面パネルを夫々組み合わせると共に、前記正面パネルおよび前記吹出部と、前記底面パネルおよび前記吸込部とを直角的に設置して本体に装着するようにしてなることを特徴とする請求項１に記載の空気調和機。
【請求項４】
底面吹出型として天井裏に据え付ける場合、天井面に前記底面パネルおよび前記正面パネルに対応する開口部を連続的に形成する一方、前記チャンバーを接続し、同チャンバーを臨ませた前記正面パネル、前記吹出部、前記底面パネルおよび前記吸込部を夫々組み合わせると共に、前記正面パネルおよび前記吹出部と、前記底面パネルおよび前記吸込部とを平面的に設置して本体に装着するようにしてなることを特徴とする請求項１に記載の空気調和機。
【請求項５】
正面吹出型として天井裏に据え付ける場合、天井面に前記底面パネルに対応する第一開口部を形成すると共に、天井裏の正面壁に前記正面パネルに対応する第二開口部を形成する一方、前記正面パネル、前記吹出部、前記底面パネルおよび前記吸込部を夫々組み合わせると共に、前記正面パネルおよび前記吹出部と、前記底面パネルおよび前記吸込部とを直角的に設置して本体に装着するようにしてなることを特徴とする請求項１に記載の空気調和機。
【請求項６】
床面設置型として床面上に据え付ける場合、前記正面パネル、前記吹出部、前記底面パネル、前記吸込部および前記側面パネルを夫々組み合わせると共に、前記正面パネルおよび前記吹出部と、前記底面パネルおよび前記吸込部とを直角的に設置して本体に装着するようにしてなることを特徴とする請求項１に記載の空気調和機。
【請求項７】
本体と、前記正面パネル、前記吹出部、前記底面パネルおよび前記吸込部とを標準部材とし、前記側面パネルおよび前記チャンバーをオプション部材としてなることを特徴とする請求項１、請求項３乃至請求項６の何れかに記載の空気調和機。
【発明の詳細な説明】
【０００１】
【発明の属する技術分野】
本発明は、ダクトタイプの空気調和機に係わり、より詳細には、正面パネルおよび吹出部と、底面パネルおよび吸込部とを平面的に、または直角的に夫々設置して天井面に吊下げるようにし、天井裏に底面吹出しまたは正面吹出しで据え付けるようにし、且つ床面上にも据付できるようにすると共に、吹出口からの吹出空気を効果的に偏向できるようにした構造に関する。
【０００２】
【従来の技術】
従来の空気調和機には、空気調和する建物や部屋の状況に合わせたシステムとして選択的に使用できるようにし、使用者の利便性を高めるようにしたものとして、天井埋込型空気調和装置の吸込口を、パネル仕様とダクト仕様に共通して使用できる構造にすることにより、一つの共通構造の空気調和機でダクト仕様にもパネル仕様にも使用できるような天井埋込型空気調和装置を提供し、製造、流通コスト面からも使用者の便宜を図るようにすることを目的としたものがあった（例えば、特許文献１参照。）。
【０００３】
しかしながら、上記構成でなる天井埋込型空気調和装置は、例えば隣り合う正面パネル、底面パネルおよび吸込グリルの側部を係脱可能な係止部で係止することにより天井面に吊下げることができ、所謂コンシールドタイプとして天井裏に底面吹出しまたは正面吹出しで据え付けることができ、且つ床面上にも据え付けることができるようにしたものではないことから、これらの異なる据付形態に容易に対応できるようにすることが望まれていた。また、このような異なる据付形態に対応して、吹出口から吹き出される吹出空気流を効果的に偏向できるようにすることが望まれていた。
【０００４】
または、居室の温度分布を良くし、快適性を向上すると共に、部屋のインテリア性を向上させるものとして、空気調和機本体内に熱交換器とクロスフローファンとを具備し、空気の吹出口の水平断面が略円弧である室内側送風ユニットであって、前記クロスフローファンと近接・対向して位置するスタビライザとリアガイダとで空気の流路を形成し、この流路に、長手方向の中央部で略水平方向を向くと共に両端部で中央部より下方に傾斜する吹出口を設ける構成としたものがあった（例えば、特許文献２参照。）。
【０００５】
上記構成により、居室の形態に合った空気の流れ場が形成されるため快適性の向上を図れるようになり、ファンと吹出口との距離を確保して騒音を低減できるようになり、また外観性が良好であるという効果を奏する反面、天井面に吊下げることができたり、天井裏に底面吹出しまたは正面吹出しで据え付けることができたり、または、床面上にも据付できるように構成されたものではないことから、これらの据付形態に対応できるように構成された空気調和機の出現が望まれていた。
【０００６】
【特許文献１】
特開２０００−３０４２９８号公報（第２頁、第１図乃至第４図）
【特許文献２】
特開平１１−２０１４８６号公報（第１頁または第８頁、第１図）
【０００７】
【発明が解決しようとする課題】
本発明においては、上記の問題点に鑑み、正面パネルおよび吹出部と、底面パネルおよび吸込部とを平面的に、または直角的に夫々設置して天井面に吊下げるようにし、天井裏に底面吹出しまたは正面吹出しで据え付けるようにし、且つ床面上にも据付できるようにすると共に、吹出口からの吹出空気を効果的に偏向できるようにしたダクトタイプの空気調和機を提供することを目的とする。
【０００８】
【課題を解決するための手段】
本発明は、上記課題を解決するため、底面に吸込口を備え、正面に吹出口を備え、これら吸込口と吹出口とを結ぶ空気通路に熱交換器と送風機とを配設してなる本体と、前記吸込口に対応する吸込部と、本体の底面に装着される底面パネルと、前記吹出口に対応する吹出部と、本体の正面に装着される正面パネルと、本体の両側面に装着される側面パネルと、前記吹出口に連通して風向を偏向するチャンバーとからなり、
本体を天井面、天井裏もしくは床面上に据え付ける際、その据付形態に応じて上記構成でなる部材の全部もしくは一部を適宜組み合わせ、前記正面パネルと前記底面パネルとを平面的に、または直角的に設置できるようにしてなるものであって、
前記正面パネルは、前記底面パネルと平面的に設置するとき先端に行くにしたがって低く傾斜し、直角的に設置するとき反転させることにより先端に行くにしたがって高く傾斜する傾斜面を表面に備え、内側に前記吹出口に連なる導風路を備えると共に、同導風路に風向を偏向する風向偏向板を備えてなる構成となっている。
【０００９】
また、前記吹出部は、運転時に前記風向偏向板によって開放され、停止時に閉塞されるようにしてなる構成となっている。
【００１０】
また、吊下設置型として天井面から吊下げる場合、前記正面パネル、前記吹出部、前記底面パネル、前記吸込部および前記側面パネルを夫々組み合わせると共に、前記正面パネルおよび前記吹出部と、前記底面パネルおよび前記吸込部とを直角的に設置して本体に装着するようにしてなる構成となっている。
【００１１】
また、底面吹出型として天井裏に据え付ける場合、天井面に前記底面パネルおよび前記正面パネルに対応する開口部を連続的に形成する一方、前記チャンバーを接続し、同チャンバーを臨ませた前記正面パネル、前記吹出部、前記底面パネルおよび前記吸込部を夫々組み合わせると共に、前記正面パネルおよび前記吹出部と、前記底面パネルおよび前記吸込部とを平面的に設置して本体に装着するようにしてなる構成となっている。
【００１２】
また、正面吹出型として天井裏に据え付ける場合、天井面に前記底面パネルに対応する第一開口部を形成すると共に、天井裏の正面壁に前記正面パネルに対応する第二開口部を形成する一方、前記正面パネル、前記吹出部、前記底面パネルおよび前記吸込部を夫々組み合わせると共に、前記正面パネルおよび前記吹出部と、前記底面パネルおよび前記吸込部とを直角的に設置して本体に装着するようにしてなる構成となっている。
【００１３】
また、床面設置型として床面上に据え付ける場合、前記正面パネル、前記吹出部、前記底面パネル、前記吸込部および前記側面パネルを夫々組み合わせると共に、前記正面パネルおよび前記吹出部と、前記底面パネルおよび前記吸込部とを直角的に設置して本体に装着するようにしてなる構成となっている。
【００１４】
更に、本体と、前記正面パネル、前記吹出部、前記底面パネルおよび前記吸込部とを標準部材とし、前記側面パネルおよび前記チャンバーをオプション部材としてなる構成となっている。
【００１５】
【発明の実施の形態】
以下、本発明の実施の形態を図面に基づいた実施例として詳細に説明する。
図１は本発明による空気調和機の説明図で、（Ａ）は斜視図、（Ｂ）は断面図であり、図２は本発明による空気調和機の分解斜視図であり、図３は本発明による空気調和機の第一の実施例を示す斜視図であり、図４は本発明による空気調和機の説明図で、（Ａ）は第二の実施例を示す斜視図、（Ｂ）は第三の実施例を示す斜視図であり、図５は第三の実施例の要部斜視図であり、図６は第四の実施例の要部斜視図であり、図７は正面パネル、底面パネルおよび吸込グリルの状態を示す説明図で、（Ａ）は図４（Ａ）で示す第二の実施例に対応する断面図、（Ｂ）は図３で示す第一の実施例と、図４（Ｂ）および図５で示す第三の実施例と、図６で示す第四の実施例とに夫々対応する断面図、（Ｃ）は（Ｂ）で示すＣ部の拡大図である。
【００１６】
本発明によるダクトタイプの空気調和機は、図で示すように、底面に吸込口１を備え、正面に吹出口２を備え、これら吸込口１と吹出口２とを結ぶ空気通路に熱交換器３および送風機４を配設して本体５が構成されている。
【００１７】
本体５の底面には、前記送風機４を臨ませた前記吸込口１に対向する吸込桟からなる吸込部６と、底面パネル７とが夫々装着されるようになっている。
なお、前記吸込部６は、前記底面パネル７に着脱可能に設けられる吸込グリルからなる構成にしてもよい。
【００１８】
本体５の正面には、前記吹出口２から前記熱交換器３を臨ませるように、前記吹出口２に対応する吹出桟からなる吹出部８と、正面パネル９とが夫々装着されるようになっており、両側面には、側面パネル１０が夫々装着されるようになっている。
なお、前記吹出部８は、前記正面パネル９に着脱可能に設けられる吹出グリルからなる構成にしてもよい。
【００１９】
また、前記正面パネル９は、前記底面パネル７と平面的に設置するとき先端に行くにしたがって低く傾斜し、前記底面パネル７と直角的に設置するとき反転させることにより先端に行くにしたがって高く傾斜する傾斜面を表面に備え、内側に前記吹出口２に連なる導風路ｃを備えると共に、同導風路ｃに風向を偏向する風向偏向板ｂを備えた構成になっている。
【００２０】
より詳細に説明すると、前記正面パネル９および前記吹出部８と、前記底面パネル７と、前記吸込部６とは、図７（Ａ）で示すように、前記底面パネル７の前後両端に設けられた第一折返片１３と、同両第一折返片１３に対応して前記正面パネル９の後端および前記吸込部６の前端に設けられたＬ字状の係合片１４ｂ  、１５とからなる第一係合手段１２ａ  により、互いに平面的に設置されるように係合する構成になっている。
【００２１】
その際、前記正面パネル９の表面には上記説明のとおり傾斜面が形成され、内側には前記吹出口２に連なるガイドリブｃ’からなる前記導風路ｃを備えており、また、同導風路ｃには駆動装置ａに連係され、回動可能に軸支された前記風向偏向板ｂを備えているので、前記熱交換器３で熱交換された吹出空気流を、前記風向偏向板ｂによって効果的に偏向させることができるようになり、また、前記正面パネル９の傾斜面に沿わせることにより空気抵抗を少なくした状態で吹き出せるようになる。
【００２２】
なお、前記吹出部８は、運転時に前記風向偏向板ｂによって開放され、停止時に閉塞されるようになっているので、運転時には、前記吹出口２からの吹出空気を偏向させながら前記吹出部８に導くことができるようになり、停止時には、前記吹出部８が閉塞されるため、塵埃を侵入させない衛生的な構造になる。
【００２３】
また、例えば前記正面パネル９および前記吹出部８と、前記底面パネル７および前記吸込部６とは、図７（Ｂ）で示すように、前記前端の第一折返片１３と、同第一折返片１３に対応して前記正面パネル９の前端に設けられた第二折返片１４ａ  と、前記後端の第一折返片１３に対応した前記係合片１５とからなる第二係合手段１２ｂ  により、前記正面パネル９および前記吹出部８と、前記底面パネル７および前記吸込部６とが互いに直角的に設置されるように係合する構成にする。
【００２４】
これにより、図３で示す第一の実施例、図４（Ｂ）および図５で示す第三の実施例、図６で示す第四の実施例のように、図７（Ｂ）で示す前記第二係合手段１２ｂ  により互いに係合することにより、前記底面パネル７に対して前記正面パネル９および前記吹出部８を直角的に連結し、前記底面パネル７と前記吸込部６とは平面的に連結した状態で設置できるようになる。
【００２５】
すなわち、例えば図３で示す第一の実施例のように、本体５に前記正面パネル９および前記吹出部８と、前記底面パネル７および前記吸込部６とを前記第二係合手段１２ｂ  により互いに係合して装着すると共に、前記側面パネル１０を装着して、吊下設置型として天井面から吊り下げるのに好適な構成となる。
【００２６】
また、図４（Ａ）で示す第二の実施例のように、天井面Ａに前記底面パネル７および前記正面パネル９に対応する開口部１６を連続的に形成する一方、本体５に前記チャンバー１１を接続すると共に、同チャンバー１１を臨ませた前記吹出部８および前記正面パネル９と、前記底面パネル７と、前記吸込部６とを図７（Ａ）で示す前記第一係合手段１２ａ  により互いに係合して装着することにより、底面吹出型として天井裏に据え付けるのに好適な構成となる。
【００２７】
また、図４（Ｂ）および図５で示す第三の実施例のように、天井面Ａに前記底面パネル７に対応する第一開口部１７を形成すると共に、天井裏の正面壁に前記正面パネル９に対応する第二開口部１８を形成する一方、本体５に前記正面パネル９および前記吹出部８と、前記底面パネル７と、前記吸込部６とを前記第二係合手段１２ｂ  により互いに係合して装着することにより、正面吹出型として天井裏に据え付けるのに好適な構成となる。
【００２８】
また、図６で示す第四の実施例のように、床面設置型として床面Ｂ上に設置するのに好適な構成にするため、本体５に前記正面パネル９および前記吹出部８と、前記底面パネル７および前記吸込部６とを、図７（Ａ）で示すように、前記第二係合手段１２ｂ  により互いに係合して装着すると共に、前記側面パネル１０を装着するようにしてもよい。
【００２９】
これらにより、本体５の据付形態に応じて、前記第一係合手段１２ａ  または前記第二係合手段１２ｂ  により、前記正面パネル９および前記吹出部８と、前記底面パネル７と、前記吸込部６とを互いに係脱可能に係合することにより、例えば本体５を天井面Ａ、天井裏もしくは床面Ｂ上に据え付ける場合、前記正面パネル９、前記吹出部８、前記底面パネル７、前記吸込部６、前記側面パネル１０および前記チャンバー１１などを適宜組み合わせることにより据付できるようになっていることから、据付形態に対応して必要な構成部材の全部または一部を選択的に組み合わせることができるようになって、上記説明のとおり、吹出空気流を前記風向偏向板ｂによって効果的に偏向させることができるようになり、また、前記正面パネル９の表面に形成された傾斜面に沿わせることにより空気抵抗を少なくした状態で吹き出せるようになる。
【００３０】
また、本体５と、前記正面パネル９、前記吹出部８、前記底面パネル７および前記吸込部６とを標準部材とし、前記側面パネル１０および前記チャンバー１１をオプション部材とすることにより、据付作業時には、本体５の据付形態に対応して一般的に多用される前記標準部材と、前記オプション部材とに使い分けできるようになるので便利である。
【００３１】
なお、図７（Ａ）乃至図７（Ｃ）で示すように、前記第一折返片１３が、先端部を少許拡開した断面コ字状に形成される一方、前記第二折返片１４ａ  が断面コ字状に、前記係合片１４ｂ  および前記係合片１５が断面Ｌ字状に夫々形成された構成となっている。
【００３２】
これによって、前記両第一折返片１３を前記係合片１４ｂ  および前記係合片１５に係止する際、前記両第一折返片１３の先端部が少許拡開されているので円滑に、且つ正確に係止できるようになっている。
【００３３】
同様に、前記第一折返片１３を前記第二折返片１４ａ  に係止する際、前記第一折返片１３の先端部が少許拡開されているので円滑に、且つ正確に係止できる。
【００３４】
また、前記第一係合手段１２ａ  または前記第二係合手段１２ｂ  を互いに係合した際、該係合部の一部をなす当接面は、図７（Ａ）乃至図７（Ｃ）で示すように、互いに当接して隙間が生じないようにした構成になっているので、機密性や外観性を損ねることがない。
【００３５】
【発明の効果】
以上説明したように、本発明によれば、正面パネルおよび吹出部と、底面パネルおよび吸込部とを平面的に、または直角的に夫々設置して天井面に吊下げるようにし、天井裏に底面吹出しまたは正面吹出しで据え付けるようにし、且つ床面上にも据付できるようにすると共に、吹出口からの吹出空気を効果的に偏向できるようにしたダクトタイプの空気調和機となる。
【図面の簡単な説明】
【図１】本発明による空気調和機の説明図で、（Ａ）は斜視図であり、（Ｂ）は断面図である。
【図２】本発明による空気調和機の分解斜視図である。
【図３】本発明による空気調和機の第一の実施例を示す斜視図である。
【図４】本発明による空気調和機の説明図で、（Ａ）は第二の実施例を示す斜視図であり、（Ｂ）は第三の実施例を示す斜視図である。
【図５】本発明による空気調和機の第三の実施例の要部斜視図である。
【図６】本発明による空気調和機の第四の実施例の要部斜視図である。
【図７】本発明による空気調和機の正面パネル、底面パネルおよび吸込グリルの状態を示す説明図で、（Ａ）は図４（Ａ）で示す第二の実施例に対応する断面図であり、（Ｂ）は図３で示す第一の実施例と、図４（Ｂ）および図５で示す第三の実施例と、図６で示す第四の実施例とに夫々対応する断面図であり、（Ｃ）は（Ｂ）で示すＣ部の拡大図である。
【符号の説明】
１  吸込口
２  吹出口
３  熱交換器
４  送風機
５  本体
６  吸込グリル
７  底面パネル
８  吹出グリル
９  正面パネル
１０  側面パネル
１１  チャンバー
１２ａ  第一係合手段
１２ｂ  第二係合手段
１３  第一折返片
１４ａ  第二折返片
１４ｂ  係合片
１５  係合片
１６  開口部
１７  第一開口部
１８  第二開口部
１９  第三開口部
２０  第四開口部
Ａ  天井面
Ｂ  床面
ａ  駆動装置
ｂ  風向偏向板
ｃ  導風路
ｃ’  ガイドリブ
【図１】
2004340496.tif 000003
【図２】
2004340496.tif 000004
【図３】
2004340496.tif 000005
【図４】
2004340496.tif 000006
【図５】
2004340496.tif 000007
【図６】
2004340496.tif 000008
【図７】
2004340496.tif 000009